【手続補正書】
【提出日】平成23年7月19日(2011.7.19)
【手続補正１】
【補正対象書類名】特許請求の範囲
【補正対象項目名】全文
【補正方法】変更
【補正の内容】
【特許請求の範囲】
【請求項１】
エアフィルタ用カートリッジであって、
（ａ）前記エアフィルタ用カートリッジは、開いているフィルタ内部を取り囲み、かつ第１端部及び第２端部を有する媒体パックを有し、
（ｂ）前記エアフィルタ用カートリッジは、前記媒体パックの第１端部中に配置された第１端部キャップを有し、
（i）前記第１端部キャップは、その中に中央の開口部を持ち、
（ｃ）前記エアフィルタ用カートリッジは、前記第１端部キャップに配置されているシール部材を有し、
（ｄ）前記エアフィルタ用カートリッジは、前記媒体パックの第２端部上に配置され、かつ内面及び外面を有する第２端部キャップを有し、
（i）前記外面は、その中に少なくとも６ｍｍの深さの第１の受け溝を含み、
（Ａ）前記第１の受け溝の外壁は、前記媒体パックから少なくとも２０ｍｍの距離だけ半径方向の内側に間隔をおいて配置されており、
（ii）前記内面は、前記第１端部キャップから外側に離れる方向に突起する中央の受け部を持ち、
（iii）前記中央の受け部は、前記受け溝によって取り囲まれていることを特徴とするエアフィルタ用カートリッジ。
【請求項２】
（ａ）前記第２端部キャップの前記外面中の前記受け溝は、２５ｍｍ未満の距離で間隔をあけて配置されている壁の間に配置されることを特徴とする請求項１に記載のエアフィルタ用カートリッジ。
【請求項３】
（ａ）前記第２端部キャップの前記外面中の前記受け溝は、１０ｍｍ未満の距離で間隔をあけて配置されている壁の間に画定されることを特徴とする請求項１または請求項２に記載のエアフィルタ用カートリッジ。
【請求項４】
（ａ）前記媒体パックは、ひだ付き媒体を含むことを特徴とする請求項１乃至請求項３のうちのいずれか１項に記載のエアフィルタ用カートリッジ。
【請求項５】
（ａ）前記媒体パックは、前記第１端部キャップから前記第２端部キャップまでの延長部中に下向方向にテーパ形状となっている円錐状形状を持つことを特徴とする請求項１乃至請求項４のうちのいずれか１項に記載のエアフィルタ用カートリッジ。
【請求項６】
（ａ）前記媒体パックはインナーライナを含むことを特徴とする請求項１乃至請求項５のうちのいずれか１項に記載のエアフィルタ用カートリッジ。
【請求項７】
（ａ）前記媒体パックは、前記第１端部キャップから前記第２端部キャップまでの延長部中に下向方向にテーパ状となっている円錐状形状に構成されたひだ付き媒体を含み、
（ｂ）前記シール部材は、外側に向けられた半径方向のシール部材であり、
（ｃ）前記受け溝の外壁は、内側に凸部と内側に凹部の形状を繰り返す曲がりくねった形状を持つことを特徴とする請求項６に記載のエアフィルタ用カートリッジ。
【請求項８】
（ａ）前記受け溝の前記外壁は、８つの内側に凸部と、８つの内側に凹部とを持つことを特徴とする請求項７に記載のエアフィルタ用カートリッジ。
【請求項９】
エアクリーナ用アセンブリであって、
（ａ）前記エアクリーナ用アセンブリは、内部を画定し、かつ空気の流入口及び空気の流出口を有するハウジングを有し、
（i）前記ハウジングは、点検用のアクセス端部と、前記アクセス端部の上方に配置されている取り外し可能なアクセスカバーとを画定し、
（ii）前記アクセスカバーは、その上に前記アクセスカバーから前記ハウジング内部に伸びている中央の突起物を含み、
（ｂ）前記エアクリーナ用アセンブリは、前記アクセスカバーの反対側の前記ハウジングの端部から前記アクセスカバーに向かって突起する中央のカートリッジ支持体を有し、
（i）前記中央のカートリッジ支持体は、前記アクセスカバーの反対側の前記ハウジングの端部から遠く離れている第１端部を持ち、前記中央のカートリッジ支持体の前記第１端部は、前記アクセスカバーに向かって伸びている中央の突起物を取り囲む受け溝を含み、
（ｃ）前記エアクリーナ用アセンブリは、前記ハウジングの内部に取り外し可能に配置されているエアフィルタ用カートリッジを有し、
（i）前記エアフィルタ用カートリッジは、第１端部及び第２端部を有し、かつ開いているフィルタ内部を取り囲む媒体パックを有し、
（ii）前記エアフィルタ用カートリッジは、前記媒体パックの第１端部上に配置された第１端部キャップを有し、
（Ａ）前記第１端部キャップは、その中に中央の開口部を持ち、
（iii）前記エアフィルタ用カートリッジは、前記第１端部キャップ上に配置されたハウジングのシール部材を有し、
（iv）前記エアフィルタ用カートリッジは、前記媒体パックの第２端部上にあって、閉じている端部キャップである第２端部キャップを有し、
（Ａ）前記第２端部キャップは、前記中央のカートリッジ支持体の前記第１端部上の前記受け溝中に突起する部分を含み、
（Ｂ）前記第２端部キャップは、前記中央のカートリッジ支持体の前記中央の突起物の上方に伸びている部分を含み、
（Ｃ）前記第２端部キャップは、その中に受け突起物を持つ外面を含み、
（１）前記アクセスカバー上の前記中央の突起物は、前記第２端部キャップの外面上の受け溝中に突起している、ことを特徴とするエアクリーナ用アセンブリ。
【請求項１０】
（ａ）前記第２端部キャップの外面上の受け溝は、曲がりくねった外壁を持つことを特徴とする請求項９に記載のエアクリーナ用アセンブリ。
【請求項１１】
（ａ）前記第２端部キャップの外面上の受け溝は、曲がりくねった内壁を持つことを特徴とする請求項１０に記載のエアクリーナ用アセンブリ。
【請求項１２】
（ａ）前記第２端部キャップの外面上の受け溝は、２５ｍｍ未満の距離で間隔をあけて配置されている内壁と外壁とを持つことを特徴とする請求項９乃至請求項１１のうちのいずれか１項に記載のエアクリーナ用アセンブリ。
【請求項１３】
（ａ）前記アクセスカバー上の前記中央の突起物は、曲がりくねった突起物であることを特徴とする請求項９乃至請求項１２のうちのいずれか１項に記載のエアクリーナ用アセンブリ。
【請求項１４】
エアクリーナ用アセンブリであって、
（ａ）前記エアクリーナ用アセンブリは、ハウジング本体と、アクセスカバーとを含むハウジングを有し、
（i）前記ハウジング本体が、側壁と、中央のカートリッジ支持体と、を含み、
（ii）前記側壁が、開いている端部を持つハウジング本体の内部を画定し、
（iii）前記ハウジング本体が、その中を通過する空気流れの開口部を画定する端部を持ち、
（iv）前記中央のカートリッジ支持体が、支持体基部から前記ハウジングの開いている端部に向かって伸びており、
（Ａ）前記中央のカートリッジ支持体が、前記支持体基部から遠く離れている支持体端部を持ち、
（Ｂ）前記支持体端部は、第２の中央の突起物を取り囲み、かつ前記第２の中央の突起物から間隔をあけて配置されており、かつ前記第２の中央の突起物との間で支持体端部の受け部空間を画定する、第１のリング状突起物を含み、
（ｂ）前記エアクリーナ用アセンブリは、前記ハウジング本体の内部中に配置されている、点検可能なエアフィルタ用第１カートリッジを有し、
（i）前記第１カートリッジは、開いているフィルタ内部を取り囲み、かつ第１端部キャップと第２端部キャップとの間で伸びている媒体パックを有し、
（ii）前記第１端部キャップは、その中に中央の開口部を有する開いている端部キャップであり、かつハウジングシール部を持ち、
（iii）前記第２端部キャップは、閉じた端部キャップであり、前記第２端部キャップは、
（Ａ）中央の受け部と、
（Ｂ）前記中央の受け部を取り囲む内側に突起している部分と、を持つ内面を含み、
（iv）前記第２端部キャップは、受け溝をその中に持つ外面を含み、
（v）前記点検可能なエアフィルタ用第１カートリッジは、
（Ａ）前記エアフィルタ用第１カートリッジ上の前記ハウジングシール部が、前記ハウジングの一部にシールされ、
（Ｂ）前記中央のカートリッジ支持体が、前記第１端部キャップの開いている開口部を通って前記開いているフィルタ内部に突起し、
（Ｃ）前記中央のカートリッジ支持体の前記支持体端部上の前記第１のリング状突起物は、前記第２端部キャップに向かって突起し、
（Ｄ）前記ハウジング本体の中央のカートリッジ支持体の前記支持体端部上の前記第２の中央の突起物が、前記第２端部キャップの前記中央の受け部中に突起している状態で、前記ハウジング本体の内部に配置されており、
（ｃ）前記アクセスカバーは、前記ハウジング本体の開いている端部上に固定されており、前記アクセスカバーは、第１の突起物を持つ内面を含み、
（i）前記アクセスカバーは、
（Ａ）前記アクセスカバーの内面上の前記第１の突起物が、前記エアフィルタ用第１カートリッジの第２端部キャップ上の受け溝に突起している状態で、配置されていることを特徴とするエアクリーナ用アセンブリ。
【請求項１５】
（ａ）前記第２端部キャップの内面は、前記中央の受け部を取り囲み、かつ間隔をあけて配置されているリング状受け部を含み、
（ｂ）前記中央のカートリッジ支持体の支持体端部上の前記第１のリング状突起物は、前記第２端部キャップの前記内面上の前記リング状受け部中に突起している、ことを特徴とする請求項１４に記載のエアクリーナ用アセンブリ。
【請求項１６】
（ａ）前記エアフィルタ用第１カートリッジの前記第２端部キャップの前記外面は、その上に中央から外に突起する突起物を含み、
（i）前記中央から外へ突起する突起物は、その内面上に前記中央の受け部を画定し、
（ｂ）前記アクセスカバーは、前記内面上に、外側に突起する受け部を含み、
（i）前記アクセスカバー上の前記外側に突起する受け部は、前記エアフィルタ用第１カートリッジの前記第２端部キャップ上の前記中央から外へ突起する突起物を収容することを特徴とする請求項１４または請求項１５に記載のエアクリーナ用アセンブリ。
【請求項１７】
（ａ）前記エアクリーナ用アセンブリは、第１端部キャップと、前記第１端部キャップに固定された媒体の延長部分とを持つ、点検可能な第２のエアフィルタを含み、
（i）前記第１端部キャップは、中央の開口部を持ち、
（ii）前記点検可能な第２のフィルタは、
（Ａ）前記エアフィルタ用第１カートリッジの前記開いているフィルタ内部に配置され、
（Ｂ）前記第２のエアフィルタの前記媒体が前記中央のカートリッジ支持体を取り囲む状態で配置され、
（Ｃ）前記第２のエアフィルタの第１端部キャップの前記中央の開口部は、前記中央のカートリッジ支持体の前記支持体端部の一部の周囲に配置された状態で、かつ、前記中央の支持体の前記リング状突起物が、前記中央の開口部に突起する状態で、配置されていることを特徴とする請求項１４乃至請求項１６のうちのいずれか１項に記載のエアクリーナ用アセンブリ。
【請求項１８】
（ａ）前記アクセスカバーの内面上の前記第１の突起物は、リング状突起物であることを特徴とする請求項１４乃至請求項１７のうちのいずれか１項に記載のエアクリーナ用アセンブリ。
【請求項１９】
（ａ）前記中央のカートリッジ支持体は、前記ハウジングの端部端壁に隣接する基部領域から前記支持体端部に向かって直径がテーパ状に延長している円錐状の側壁部を含むことを特徴とする請求項１４乃至請求項１８のうちのいずれか１項に記載のエアクリーナ用アセンブリ。
【請求項２０】
（ａ）前記円錐状の側壁部は、少なくとも１度の角度の円錐状のテーパを持つことを特徴とする請求項１９に記載のエアクリーナ用アセンブリ。
【請求項２１】
（ａ）前記中央のカートリッジ支持体は、多孔性の側壁部分を含むことを特徴とする請求項１４乃至請求項２０のうちのいずれか１項に記載のエアクリーナ用アセンブリ。
【請求項２２】
（ａ）前記エアフィルタ用第１カートリッジの媒体パックは、前記第１端部キャップから前記第２端部キャップまで下向方向にテーパ状に延長している円錐状の側壁部を持つことを特徴とする請求項１４乃至請求項２１のうちのいずれか１項に記載のエアクリーナ用アセンブリ。
【請求項２３】
（ａ）前記エアフィルタ用第１カートリッジの前記円錐状の側壁部は、少なくとも０.５度の円錐角度を持つことを特徴とする請求項２２に記載のエアクリーナ用アセンブリ。
【請求項２４】
（ａ）前記中央のカートリッジ支持体は、第１の円錐角度の円錐状の側壁部を持ち、
（ｂ）前記エアフィルタ用第１カートリッジの媒体パックは、第２の円錐角度の円錐状の側壁部を持ち、
（i）前記第１の円錐角度は、前記第２の円錐角度より大きいことを特徴とする請求項１４乃至請求項２３のうちのいずれか１項に記載のエアクリーナ用アセンブリ。
【請求項２５】
エアクリーナ用アセンブリであって、
（ａ）前記エアクリーナ用アセンブリは、ハウジング本体とアクセスカバーとを含むハウジングを有し、
（i）前記ハウジング本体が、側壁と中央のカートリッジ支持体を含み、
（ii）前記側壁は、ハウジング本体内部と開いている端部とを画定し、
（iii）前記端部の壁は、そこを通過する空気流の開口部を画定し、
（iv）前記中央のカートリッジ支持体は、支持体基部から前記ハウジングの開いている端部に向かって伸びており、
（Ａ）前記中央のカートリッジ支持体は、前記支持体基部から遠く離れている支持体端部を持ち、
（Ｂ）前記支持体端部は、第２の中央の突起物を取り囲みかつ前記第２の中央の突起物から間隔を開けて配置されておりかつ前記第２の中央の突起物との間で支持体端部の受け部容空間を画定する第１のリング状の突起物を含み、
（ｂ）前記エアクリーナ用アセンブリは、前記ハウジング本体の内部に配置された、少なくとも請求項２乃至請求項８のうちの１つに記載された点検可能なエアフィルタ用第１カートリッジを有し、
（i）前記エアフィルタ用第１カートリッジ上のハウジングシール部が、前記ハウジングの一部にシールされており、
（ii）前記中央のカートリッジ支持体が、前記第１端部キャップの開いている開口部を通って前記開いているフィルタ内部に突起しており、
（iii）前記中央の支持体の前記支持体端部上の前記第１のリング状突起物は、前記第２端部キャップに向かって突起しており、
（iv）前記ハウジング本体の中央のカートリッジ支持体の前記支持体端部上の前記第２の中央の突起物が、第２端部キャップの前記中央の受け部中に突起しており、
（ｃ）前記アクセスカバーは、前記ハウジング本体の前記開いている端部上に固定されており、第１のリング状突起物を持つ内面を含む、ことを特徴とするエアクリーナ用アセンブリ。